(57)【要約】【課題】複数のランプと電磁スイッチを駆動コントロールするためには、複雑な配線や専用の回路を必要とした。又、配線についてもユニット化が難しく応用や変更・追加についても労力を必要とした。【解決手段】仕組みとして、ランプと電磁スイッチは、直列接続された２線路以上の複数線路に直流を流すことで駆動する。この線路とランプと電磁スイッチの接続や、直流を流す線路について２進数に換算したパターン化を行った。このことで配線の単純化・駆動コントロールの単純化・容易な設計変更を実現し、ユニット化もできる。【選択図】  図１
2006297962.tif 000002
【特許請求の範囲】
【請求項１】
ランプと電磁スイッチと：
複数の線路（＋と−の電線を１組とし、これを１線路と表す）と；
線路に直流を流す直流電源と：を具備し２線路に直流を流すことにより接続されたランプと電磁スイッチを駆動させる。任意の２線路にランプと電磁スイッチ接続し、２進数に換算した２線路に直流を流すことで駆動させる複合型スイッチである。
【請求項２】
ランプと電磁スイッチと：
複数の線路（＋と−の電線を１組とし、これを１線路と表す）と；
線路に直流を流す直流電源と：を具備し２線路以上に直流を流すことにより接続されたランプと電磁スイッチを駆動させる。任意の２線路以上にランプと電磁スイッチ接続し、２進数に換算した２線路以上に直流を流すことで駆動させる複合型スイッチである。
【請求項３】
請求項１と請求項２を混在させた複合型スイッチである。
【発明の詳細な説明】
【技術分野】
【０００１】
本発明は、複数のランプと電磁スイッチを駆動コントロールする複合型スイッチに関するものである。
【背景技術】
【０００２】
従来は、複数のランプと電磁スイッチを駆動コントロールするためには専用の回路を利用している。
【０００３】
コンピューターを利用することもあるが制御のための標準化はされていない。
【０００４】
又、制御方式も単純なものは見当たらない。
【０００５】
駆動コントロールするために、配線は複数のランプと電磁スイッチそれぞれに直接配線しているため多くの配線を必要としている。
【０００６】
このため、配線は複雑となっている。
【発明の開示】
【発明が解決しようとする課題】
【０００７】
本発明は、専用の回路なしに単純な仕組みで駆動コントロールできること。
【０００８】
コンピューターを利用する上で、制御しやすい原理であること。
【０００９】
コンピューターを利用しなくとも、シンプルな仕組みで駆動コントロールできること。
【００１０】
単純な仕組みとコンピューター利用の混在が可能なこと。具体的には、機械的なスイッチとコンピューター利用の混在ができること。
【００１１】
配線が単純で、メンテナンスや仕様変更があっても簡単な作業となること。
【課題を解決するための手段】
【００１２】
本発明は、請求項１ではランプと電磁スイッチと：複数の線路と：線路に直流を流す直流電源と：を具備し２線路に直流を流すことにより接続されたランプと電磁スイッチを駆動させる。任意の２線路にランプと電磁スイッチ接続し、２進数に換算した２線路に直流を流すことで任意のものを駆動させる複合型スイッチとする。
【００１３】
請求項２では、ランプと電磁スイッチと：複数の線路と；線路に直流を流す直流電源と：を具備し２線路以上に直流を流すことにより接続されたランプと電磁スイッチを駆動させる。任意の２線路以上にランプと電磁スイッチ接続し、２進数に換算した２線路以上に直流を流すことで任意のものを駆動させる複合型スイッチとする。
【００１４】
請求項３では、請求項１と請求項２を混在させた複合型スイッチとする。
【発明の効果】
【００１５】
本発明は、駆動する対象全てに１対１で配線することに比べ、総体の配線数が少なくなる。
【００１６】
配線は、計算された線路数を末端から末端まで配置するため単純な配線となる。
【００１７】
配線がユニット化でき、組み合わせることで施設が完了する。
【００１８】
駆動数で線路数を計算した後、拡張分の経路数を加算し施設することにより、追加が容易となる。
【００１９】
設計は２進数換算によりパターン化できコンピューター利用しやすい。
【発明を実施するための最良の形態】
【００２０】
この発明は、２線路またはそれ以上の線路に直流を流すことで線路に接続されているランブと電磁スイッチを駆動するものであるが、請求項１の発明は、ランプと電磁スイッチを接続する線路を２線路に固定することで、複数パターンを同時駆動できることを特徴としている。
【００２１】
請求項２の発明は、線路数分の２進数で表せる数全ての駆動ができるため請求項1に比べ多くのパターンを駆動できる。
【００２２】
請求項３の発明は、請求項１と請求項２の組み合わせであり、２つを組み合わせにより利用することで多様性があることを特徴としている。
【００２３】
本発明において、特に指定しない限り用語の定義および技術的意味は次による。
【００２４】
＜線路について＞  ＋と−の電線を１組とし、これを１線路と表現し、この発明において必要な線路数分を末端から末端まで配線する。
【００２５】
＜線路Noについて＞  ２進数換算するときに、線路に２進数値で意味付けをするが、線路値（後述）０から大きな数字に向かって、No１から順に振って行く。具体的には「表１  定電圧方式の駆動パターン例」、「表２  変電圧方式の駆動パターン例」ともに６線路あるためNo１〜No６までを振っている。
【００２６】
＜ランプについて＞  発光ダイオード、直流電球とし同様の機能のものを含む。
【００２７】
＜電磁スイッチについて＞  線路に接続するパターンで接続された電磁スイッチ全てが同時にＯＮとなったとき駆動する仕組みとする。又、電磁スイッチと同様の機能のものを含む。
【００２８】
＜直流電源について＞  線路に直流を供給するもので、電源のみでなく任意の２線路以上に直流を流すコントロール機能又はスイッチを含む。
【００２９】
＜定電圧方式について＞  請求項１の方式であり、２線路に固定し２進数換算により設計する。具体的には、「表１  定電圧方式の駆動パターン例」を示す。
【００３０】
＜変電圧方式について＞  請求項２の方式であり、２線路以上を２進数換算に合わせて設計する。具体的には、「表２で変電圧方式の駆動パターン例」を示す。
【００３１】
＜パターンについて＞  本発明では、ランプと電磁スイッチが２線路以上に直列に接続されるがこの線路の組み合わせをいう。ランプと電磁スイッチどちらを接続しても線路は同じであるため同一パターンとなる。
【００３２】
＜パターンNoについて＞  パターンについてNoを付けたものを言う。具体的には、「表１  定電圧方式の駆動パターン例」では、Ａ１〜Ａ３２まで、「表２の変電圧方式の駆動パターン例」では、Ｂ１〜Ｂ３２まで付している。パターンが増えるごとに１から１ずつ増やして行く。
【００３３】
＜線路値について＞  ２進数換算するとき、線路に意味付けをするがそのときの数を示す。「表１  定電圧方式の駆動パターン例」、「表２  変電圧方式の駆動パターン例」ともに線路No1は０、線路No２は１、線路No３は２、線路No４は４、線路No５は８、線路No６は１６とし２進数で振って行く。
【００３４】
＜パターン数値について＞  パターンを数値化するときに表す１０進数を言う。具体的には「表１  定電圧方式の駆動パターン例」、「表２  変電圧方式の駆動パターン例」ともに１〜３２までを振っている。
【００３５】
＜２進数の換算について＞  線路にNo１からNoｎまで線路Noを振る。ｎは使用する線路の使用本数である。線路No１の線路値は０、線路No２の線路値は１、線路No３の線路値は２、線路No４の線路値は４のように、この線路値は、線路No１から２進数値として０，１，２，４，８，１６，３２，６４と順に設定して行く。パターン数値は、具体的には、「表１  定電圧方式の駆動パターン例」で説明すると、パターン数値１から始まり３２までである。
この場合、パターン数値1では、０＋１＝１となり線路No１と線路No２の組み合わせとなる。パターン数値２では、０＋２＝１となり線路No１と線路No３線路の組み合わせとなる。これを表としたのが「表１  定電圧方式の駆動パターン例」、「表２  変電圧方式の駆動パターン例」である。
【００３６】
定電圧方式と変電圧方式との違いの例として、パターン数値７が特徴的である。定電圧方式としたときにはパターン数値３、パターン数値５、パターン数値６が同時に駆動される。変電圧方式としたときにはパターン数値７のみが駆動される。
【００３７】
本発明は、２進数の原理を利用するが桁が上がるとき補正として線路値０の線路No１を利用している。実例で示すと、パターン数値１、２、４、８、１６、３２・・・では補正として線路No１、線路値０として補正している。このことにより、２つ以上の線路に直流が流れたとき駆動させる仕組みを維持している。したがって、パターン数値で表すことができない状況が存在する。このことを＋を付して表現する。例えば、パターンＡ３＋であるが、パターン数値も３＋と表現し定電圧方式では、パターンＡ１、Ａ２、Ａ３を同時に駆動できる。変電圧方式でも、パターン数値３＋と表現しパターン数値で表すことができない駆動パターンが１つ追加になる。これは、パターン数値のみでコンピューター制御すると整数では区分けできないが、小数点付加等（例  パターン数値３＋を３．５と表現）により可能となる。
【００３８】
以上用語の定義および技術的意味を終わる。
【００３９】
本発明は、電源機構と、線路機構、駆動機構の３つで構成される。図１は、この３つの機構をイメージしたものであり、線路機構と駆動機構を組み合わせて実際に施設して行く。
【００４０】
電源機構は、直流電源とスイッチで構成され、コンピューター制御する場合の器機は電源機構に含まれる。
【００４１】
線路機構は、必要なパターン数を駆動できる数の線路で構成される。
【００４２】
駆動機構は、ランプと電磁スイッチに逆流防止用ダイオードを付して、駆動条件にあった２線路以上に直列接続したもので構成される。逆流防止用ダイオードについては、逆流防止機能のあるもので同様の機能のものを含む。
【００４３】
請求項１について、任意の２線路に直列にランプや電磁スイッチを接続、接続された２線路に定電圧直流を流すことにより駆動させる。具体的な接続方法としては、２つの線路のみに直列接続をする。「表１  定電圧方式の駆動パターン例」でみられるとおり２線路以上の組み合わせがあるが、これは複数パターンを同時駆動するパターンとなる。例えば、「表１  定電圧方式の駆動パターン例」でＡ７パターンは、Ａ３とＡ５とＡ６のパターンを同時に駆動することとなる。
【００４４】
この場合、１線路の電圧は、ランプ駆動電圧の１／２とする。
【００４５】
電磁スイッチは、１線路に１個の電磁スイッチを接続し、２線路に接続された電磁スイッチそれぞれが入ったときに初めて駆動する仕組みとする。あるいは、ランプと同様に２線路に直列に接続した電磁スイッチが駆動電圧に達したとき駆動する仕組みのどちらでも良い。
【００４６】
以上請求項１
【００４７】
請求項２について、任意の２線路以上に直列にランプを接続、接続された２線路以上に定電圧直流を流すことにより駆動させる。この方式は、何種類かのパターンを同時に駆動することは無く、逆に少ない線路数で多くのパターンが駆動できる。単純に２進数換算した線路数全てについて直列接続をしていくため、最小では２線路、最大は用意した線路数での直列接続となる。例えば、「表２の定電圧方式の駆動パターン例」に見られるとおり、パターンＢ４はNo１とNo４の２線路に直列接続、Ｂ７のパターンはNo２とNo３とNo４の３線路に直列接続することとなる。
【００４８】
この場合、１線路の電圧は、ランプ駆動電圧の１／ｎとする。ｎは、直列接続される線路数となる。一例として、「表２の変電圧方式の駆動パターン例」で1tracks's voltageの項で表している。例えば、Ｂ７のパターンの場合、３線路を利用しているため１線路当たりの電圧は必要な電圧の１／３となる。
【００４９】
電磁スイッチは、１線路に１個の電磁スイッチを接続し、２線路以上に接続された電磁スイッチそれぞれが入ったときに初めて起動する仕組みとする。あるいは、ランプと同様に２線路以上に直列に接続した電磁スイッチが駆動電圧に達したとき駆動する仕組みのどちらでも良い。
【００５０】
以上請求項２
【００５１】
請求項１と請求項２どちらも、ランプや電磁スイッチを駆動するためには、２進数換算した線路に対して定電圧直流を流し駆動させる。具体的には、請求項１では「表１  定電圧方式の駆動パターン例」、請求項２では「表２  変電圧方式の駆動パターン例」のパターンに合わせて駆動機構を施設し、その線路に直流を流すことで達成する。但し、「表１  定電圧方式の駆動パターン例」と「表２  変電圧方式の駆動パターン例」とも６つの線路利用した例であるため、実施にあたっては使用する線路数で２進数換算したパターンで利用することになる。
【実施例１】
【００５２】
図１で６つの線路に２つの発光ダイオードを接続した実施例を示す。定電圧方式を用いて、パターンＡ１とＡ３の駆動機構を接続し、基本的な構成（電源機構、配線機構、駆動機構）をイメージ化した実施例である。
【００５３】
この例では、スイッチＳＷ１とＳＷ２がＯＮとなるとＬＥＤ１が駆動、ＳＷ２とＳＷ３がＯＮとなるとＬＥＤ２が駆動する。
【００５４】
電源機構と線路機構と駆動機構はコネクターで接続され、ソケットはパターンNoに合わせて線路への接続と、逆流防止用ダイオード、そしてランプもしくは電磁スイッチが具備される。
【００５５】
このように、線路機構と駆動機構を組み合わせることにより配線のユニット化ができる。
【実施例２】
【００５６】
図２では、駆動機構のイメージとして発光ダイオードの線路への接続例と、電磁スイッチの接続例を表す。ＬＥＤ１部分は発光ダイオードの接続例、ＥＡ１は電磁スイッチの接続例となる。
【００５７】
ＡＣは本発明での線路以外の交流電源、ＥＡ１は家庭用電気器具をイメージしていて、電磁スイッチにより家庭用電気器具を駆動させる接続例である。
【実施例３】
【００５８】
図３は、自動車に適用した利用イメージである。車幅灯とウインカーそしてストップランプについての実施例である。実施例１と同様に電源機構と線路機構と駆動機構で構成されている。
【００５９】
車では同時に複数の駆動があるため定電圧方式により設計する。
【００６０】
駆動機構を作成するパターン、駆動させるパターンの２種類について整理をする。
【００６１】
駆動機構は、ストップランプはパターンＡ３、右ウィンカーはパターンＡ５、左ウインカーはパターンＡ９、車幅灯はパターンＡ１６として作成する。物理的にこのパターンで線路に接続するようにソケットを作成しコネクターに接続する。
【００６２】
各部を駆動させることになるが、パターンに従い定電圧直流を流すことで達成する。ストップランプのみを駆動するには、パターンＡ３とする。右ウインカーをのみを駆動するには、パターンＡ５とする。左ウインカーをのみを駆動するには、パターンＡ９とする。車幅灯のみを駆動するにき、パターンＡ１６とする。
【００６３】
同時に駆動するには、ストップランプと右ウィンカー同時はパターンＡ７、ストップランプと左ウインカー同時はパターンＡ１１となる。
【００６４】
合わせて車幅灯駆動するには、ストップランプはパターンＡ１９、右ウインカーはパターンＡ２１、左ウインカーはパターンＡ２５、ストップランプと右ウィンカー同時はパターンＡ２３、ストップランプと左ウインカー同時はパターンＡ２７となる。
【００６５】
このように、機械的に行うには各線路の組み合わせで直流を流すことであり、コンピューターで行うにはパターン数値で制御することになる。表１は、定電圧方式の駆動パターン例を示す。表２は変電圧方式の駆動パターン例を示す。
【００６６】
【表１】
2006297962.tif 000003
【００６７】
【表２】
2006297962.tif 000004
【産業上の利用可能性】
【００６８】
自動車の電気回路、照明がＬＥＤ化になった場合の屋内配線や集中コントロールなどに適用できる。
【図面の簡単な説明】
【００６９】
【図１】６つの線路に２つの発光ダイオードを接続した実施例（実施例１）
【図２】発光ダイオードの接続例、電磁スイッチの接続例（実施例２）
【図３】自動車に適用した利用イメージ（実施例３）
【符号の説明】
【００７０】
a  A  pattern定電圧方式のパターンNo（A1〜A32）、a  simultaneous  drive・・・同時に駆動されるパターンNoの表示、tracks・・・線路No（No1〜No6）、numerical  value・・・線路側は線路値で、パターン側は、バターン数値
【００７１】
a  B  pattern・・・変電圧方式のパターンNo（B1〜B32）、1tracks's  voltage・・・駆動するに必要な１線路当たりの電圧比率
【００７２】
No・・・線路Noを表し、表１、表２、図１ではNo１〜No６と番号を付している、Ｃ・・・コネクターを表し、図１ではＣ１〜Ｃ５と番号を付している、Ｓ・・・ソケットを表し、図１ではＳ１〜２と番号を付している、ＬＥＤ・・・発光ダイオードを表し、図１ではＬＥＤ１〜２と番号を付している、ＰＳ・・・電源機構、ＴＳ・・・線路機構、ＤＳ・・・駆動機構、Ｐ・・・直流電源を表し、図１ではＰ１〜Ｐ６と番号を付している、ＳＷ・・・スイッチを表し、ＳＷ１〜ＳＷ６と番号を付している、＋・・・直流のプラス、−・・・直流のマイナス、ＡＣ・・・交流電源、ＥＡ１・・・電気器具等、ＥＳＷ１・・・電磁スイッチ
【００７３】
ＬＥＤ-Ａ１６・・・車幅灯（position  lamp）、ＬＥＤ−Ａ５・・・右ウインカー（winker/the  right  side）、ＬＥＤ−Ａ９・・・左ウインカー（winker/the  left  side）、ＬＥＤ-Ａ３・・・ストップランプ（a  stoplight）
【図１】
2006297962.tif 000005
【図２】
2006297962.tif 000006
【図３】
2006297962.tif 000007
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
複数の線路からなる線路機構と；
線路機構の全ての線路に対して同時あるいは随時に、１線路毎に流す直流をスイッチ又はコントロール機能で制御できる電源機構と：
線路機構の線路にランプ又は電磁スイッチを接続パターンに合わせて接続し、接続パターンが示す２線路に対し、１個目の線路の＋側と２個目の線路の−側に逆流防止用ダイオードを付して接続し、２個目の線路の＋側と１個目の−側をランプ又は電磁スイッチに逆流防止用ダイオードを付して直列に接続した１個又は複数の駆動機構と：
を具備し、駆動させたいランプ又は電磁スイッチの駆動パターンが示す線路機構の線路に対し、電源機構よりそれぞれの線路にランプ又は電磁スイッチの駆動電圧の半分で直流を流すことにより、接続パターン１種類又は同時に複数種類の駆動機構のランプ又は電磁スイッチを1個又は複数個を駆動させる線路直結式駆動機構。
【請求項２】
複数の線路からなる線路機構と；
線路機構の全ての線路に対して同時あるいは随時に、１線路毎に流す直流をスイッチ又はコントロール機能で制御できる電源機構と：
線路機構の線路にランプ又は電磁スイッチを接続パターンに合わせて接続し、接続パターンはパターンにより２個以上の線路を示すが、ある接続パターンが示す線路の数をＸ個とし、それらの線路に対し、１個目の線路の＋側と２個目の線路の−側、・・・、Ｘ−１個目の線路の＋側とＸ個目の線路の−側に逆流防止用ダイオードを付して接続し、Ｘ個目の線路の＋側と１個目の線路の−側をランプ又は電磁スイッチに逆流防止用ダイオードを付して直列に接続した1個又は複数の駆動機構と：
を具備し、駆動させたいランプ又は電磁スイッチの駆動パターンに従い、線路機構の線路に対し、電源機構よりそれぞれの線路に駆動電圧の１／Ｘで直流を流すことにより、接続パターン１種類の駆動機構のランプ又は電磁スイッチを1個又は複数個を駆動させる線路直結式駆動機構。
【請求項３】
複数の線路からなる線路機構と；
線路機構の線路を２つに分け、１つを請求項１での線路直結式駆動機構と：
前記残りの線路に対し、請求項２での線路直結式駆動機構と：
を具備し、駆動させたいランプ又は電磁スイッチの駆動パターンに従い、請求項１での線路直結式駆動機構には、電源機構よりそれぞれの線路にランプ又は電磁スイッチの駆動電圧の半分で直流を流すことにより、接続パターン１種類又は同時に複数種類の駆動機構のランプ又は電磁スイッチを1個又は複数個を駆動させ、請求項２での線路直結式駆動機構には、線路機構の線路に対し電源機構より１／Ｘの駆動電圧で直流を流すことにより、接続パターン１種類の駆動機構のランプ又は電磁スイッチを1個又は複数個を駆動させる線路直結式駆動機構。
【手続補正２】
【補正対象書類名】明細書
【補正対象項目名】０００１
【補正方法】変更
【補正の内容】
【０００１】
本発明は、複数のランプ又は電磁スイッチを駆動コントロールする機構に関するものである。 
【手続補正３】
【補正対象書類名】明細書
【補正対象項目名】０００２
【補正方法】変更
【補正の内容】
【０００２】
従来は、複数のランプ又は電磁スイッチを駆動コントロールするためには専用の回路を利用している。
【手続補正４】
【補正対象書類名】明細書
【補正対象項目名】０００５
【補正方法】変更
【補正の内容】
【０００５】
駆動コントロールするために、配線は複数のランプ又は電磁スイッチそれぞれに直接配線しているため多くの配線を必要としている。
【手続補正５】
【補正対象書類名】明細書
【補正対象項目名】００１２
【補正方法】変更
【補正の内容】
【００１２】
本発明は、請求項１では、複数の線路からなる線路機構と；
線路機構の全ての線路に対して同時あるいは随時に、１線路毎に流す直流をスイッチ又はコントロール機能で制御できる電源機構と：
線路機構の線路にランプ又は電磁スイッチを接続パターンに合わせて接続し、接続パターンが示す２線路に対し、１個目の線路の＋側と２個目の線路の−側に逆流防止用ダイオードを付して接続し、２個目の線路の＋側と１個目の−側をランプ又は電磁スイッチに逆流防止用ダイオードを付して直列に接続した１個又は複数の駆動機構と：
を具備し、駆動させたいランプ又は電磁スイッチの駆動パターンが示す線路機構の線路に対し、電源機構よりそれぞれの線路にランプ又は電磁スイッチの駆動電圧の半分で直流を流すことにより、接続パターン１種類又は同時に複数種類の駆動機構のランプ又は電磁スイッチを1個又は複数個を駆動させる線路直結式駆動機構。
【手続補正６】
【補正対象書類名】明細書
【補正対象項目名】００１３
【補正方法】変更
【補正の内容】
【００１３】
請求項２では、複数の線路からなる線路機構と；
線路機構の全ての線路に対して同時あるいは随時に、１線路毎に流す直流をスイッチ又はコントロール機能で制御できる電源機構と：
線路機構の線路にランプ又は電磁スイッチを接続パターンに合わせて接続し、接続パターンはパターンにより２個以上の線路を示すが、ある接続パターンが示す線路の数をＸ個とし、それらの線路に対し、１個目の線路の＋側と２個目の線路の−側、・・・、Ｘ−１個目の線路の＋側とＸ個目の線路の−側に逆流防止用ダイオードを付して接続し、Ｘ個目の線路の＋側と１個目の線路の−側をランプ又は電磁スイッチに逆流防止用ダイオードを付して直列に接続した1個又は複数の駆動機構と：
を具備し、駆動させたいランプ又は電磁スイッチの駆動パターンに従い、線路機構の線路に対し、電源機構よりそれぞれの線路に駆動電圧の１／Ｘで直流を流すことにより、接続パターン１種類の駆動機構のランプ又は電磁スイッチを1個又は複数個を駆動させる線路直結式駆動機構。
【手続補正７】
【補正対象書類名】明細書
【補正対象項目名】００１４
【補正方法】変更
【補正の内容】
【００１４】
請求項３では、複数の線路からなる線路機構と；
線路機構の線路を２つに分け、１つを請求項１での線路直結式駆動機構と：
前記残りの線路に対し、請求項２での線路直結式駆動機構と：
を具備し、駆動させたいランプ又は電磁スイッチの駆動パターンに従い、請求項１での線路直結式駆動機構には、電源機構よりそれぞれの線路にランプ又は電磁スイッチの駆動電圧の半分で直流を流すことにより、接続パターン１種類又は同時に複数種類の駆動機構のランプ又は電磁スイッチを1個又は複数個を駆動させ、請求項２での線路直結式駆動機構には、線路機構の線路に対し電源機構より１／Ｘの駆動電圧で直流を流すことにより、接続パターン１種類の駆動機構のランプ又は電磁スイッチを1個又は複数個を駆動させる線路直結式駆動機構。
【手続補正８】
【補正対象書類名】明細書
【補正対象項目名】００２０
【補正方法】変更
【補正の内容】
【００２０】
この発明は、２線路またはそれ以上の線路に直流を流すことで線路に接続されているランプ又は電磁スイッチを駆動するものであるが、請求項１の発明は、ランプ又は電磁スイッチを接続する線路を２線路に固定することで、複数パターンを同時駆動できることを特徴としている。
【手続補正９】
【補正対象書類名】明細書
【補正対象項目名】００２７
【補正方法】変更
【補正の内容】
【００２７】
＜電磁スイッチについて＞電磁スイッチは、電磁スイッチそのものと、同様の機能のものを含む。
【手続補正１０】
【補正対象書類名】明細書
【補正対象項目名】００３１
【補正方法】変更
【補正の内容】
【００３１】
＜パターンについて＞  本発明では、ランプ又は電磁スイッチが２線路以上に直列に接続される線路の組み合わせをいう。ランプ又は電磁スイッチどちらを接続しても線路は同じであるため同一パターンとなる。パターンには、ランプ又は電磁スイッチと線路の接続を表した接続パターンと、電源機構（後述）で直流を流す複数線路を表した駆動パターンの２種類がある。接続パターンに合わせて駆動機構（後述）をセットし、駆動パターンにしたがって線路に直流を流すことにより接続パターンの１種類又は複数種類のランプ又は電磁スイッチの駆動をコントロールする。このパターンの違いは、請求項1で存在し、表１定電圧方式の駆動パターン例の通り線路が２個マークされているのが接続パターンであり、接続パターンを含めて２個以上全てのパターンが駆動パターンとなる。請求項２については、表２変電圧方式の駆動パターン例の通り接続パーンと駆動パターンが同じものとなる。
【手続補正１１】
【補正対象書類名】明細書
【補正対象項目名】００４０
【補正方法】変更
【補正の内容】
【００４０】
電源機構は、直流電源とスイッチ又はコントロール機能を有した制御回路で構成され、線路機構（後述）の全ての線路に対して同時あるいは随時に、駆動パターンにしたがって１線路毎に直流を流す。一番シンプルなものは、各線路にそれぞれ電池とスイッチをつないだものとなる。又、コンピューター制御する場合の器機は、コントロール機能を有した制御回路の１例となる。
【手続補正１２】
【補正対象書類名】明細書
【補正対象項目名】００４２
【補正方法】変更
【補正の内容】
【００４２】
駆動機構は、ランプ又は電磁スイッチに逆流防止用ダイオードを付して、駆動条件にあった２線路以上に直列接続したもので構成される。逆流防止用ダイオードについては、逆流防止機能のあるもので同様の機能のものを含む。
【手続補正１３】
【補正対象書類名】明細書
【補正対象項目名】００４３
【補正方法】変更
【補正の内容】
【００４３】
請求項１について、接続パターンの２線路に対し直列にランプ又は電磁スイッチを接続、駆動パターンの２線路に対し定電圧直流を流すことにより駆動させる。具体的な接続方法としては、２つの線路のみに直列接続をする。「表１  定電圧方式の駆動パターン例」でみられるとおり２線路以上の組み合わせがあるが、これは複数パターンを同時駆動するパターンとなる。例えば、「数１  定電圧方式の駆動パターン例」でＡ７パターンは、Ａ３とＡ５とＡ６のパターンを同時に駆動することとなる。
【手続補正１４】
【補正対象書類名】明細書
【補正対象項目名】００４５
【補正方法】削除
【補正の内容】
【手続補正１５】
【補正対象書類名】明細書
【補正対象項目名】００４７
【補正方法】変更
【補正の内容】
【００４７】
請求項２について、接続パターンの線路に対し直列にランプ又は電磁スイッチを接続、駆動パターンの線路に対し定電圧直流を流すことにより駆動させる。この方式は、何種類かのパターンを同時に駆動することは無く、逆に少ない線路数で多くのパターンが駆動できる。単純に２進数換算した線路数全てについて直列接続をしていくため、最小では２線路、最大は用意した線路数での直列接続となる。例えば、「表２  変電圧方式の駆動パターン例」に見られるとおり、パターンＢ４はＮｏ．１とＮｏ．４の２線路に直列接続、Ｂ７のパターンはＮｏ．２とＮｏ．３とＮｏ．４の３線路に直列接続することとなる。
【手続補正１６】
【補正対象書類名】明細書
【補正対象項目名】００４９
【補正方法】削除
【補正の内容】
【手続補正１７】
【補正対象書類名】図面
【補正対象項目名】図２
【補正方法】変更
【補正の内容】
【図２】
2006297962.tif 000008